(57)【特許請求の範囲】
【請求項１】
複数のドットがマトリクス上に配置されて１つのパートが構成され、１つ以上の前記パートが横方向に配置されることによって１行の表示ラインが形成され、２行以上の前記表示ラインによって構成される表示装置であって、
前記パートにおいて前記ドットが横方向に等間隔に配置され、
前記パートにおいて同一列の各ドットの左上の頂点を結んだ線分が、前記横方向に垂直な方向である縦方向に対して一定の角度になるように前記ドットが傾斜して配置され、
各前記パートが横方向に等間隔に配置され、
隣合う行において、上行に位置する前記パートの前記ドットと、下行に位置する前記パートの前記ドットとが、縦の前記ドットの配置方向に１直線上に並ぶように配置され、
隣合う行において、上行の左端の前記パートの前記ドットと、下行の左端の前記パートの前記ドットとが、縦の前記ドットの配置方向に１直線上に並ぶように配置され、
下行の左端の前記パートと、下行の左端の前記パートの右隣の前記パートとの間隔が、前記上行の各前記パートの間隔よりも、前記ドットの横方向の長さより小さい範囲内で広く設定され、
下行の左から２番目以降の前記パート毎の間隔が、上行の前記パート毎の間隔と等しい、表示装置。
【請求項２】
隣合う行において、前記下行の右端の前記パートの前記ドットと、上行の前記右端の前記パートの前記ドットとが、縦の前記ドットの配置方向に１直線上に並ぶように、上行の右端の前記パートの左下の前記ドットの左下の頂点と、下行の右端の前記パートの左上の前記ドットの左上の頂点との距離が設定される、請求項１に記載の表示装置。
【請求項３】
複数のドットがマトリクス上に配置されて１つのパートが構成され、１つ以上の前記パートが横方向に配置されることによって１行の表示ラインが形成され、２行以上の前記表示ラインによって構成される表示装置であって、
前記パートにおいて前記ドットが横方向に等間隔に配置され、
前記パートにおいて同一列の各ドットの左上の頂点を結んだ線分が、前記横方向に垂直な方向である縦方向に対して一定の角度になるように前記ドットが傾斜して配置され、
各前記パートが横方向に等間隔に配置され、
隣合う行において、上行に位置する前記パートの前記ドットと、下行に位置する前記パートの前記ドットとが、縦の前記ドットの配置方向に１直線上に並ぶように配置され、
隣合う行において、上行の左端の前記パートの前記ドットと、下行の左端の前記パートの前記ドットとが、縦の前記ドットの配置方向に１直線上に並ぶように配置され、
上行の右端の前記パートの前記ドットと、下行の右端の前記パートの前記ドットとが、縦の前記ドットの配置方向に１直線上に並ぶように配置され、
下行の各前記パートの間隔が、（ｓ’−ｓ）／（Ｎ−１）だけ、前記上行の前記パート毎の間隔よりも広く設定される、表示装置。
ただし、ｓ’は、前記上行の右端の前記パートの左下の前記ドットの左下の頂点と前記下行の右端の前記パートの左上の前記ドットの左上の頂点との横方向の距離である。ｓは、前記上行の左端の前記パートの左下の前記ドットの左下の頂点と前記下行の左端の前記パートの左上の前記ドットの左上の頂点との横方向の距離である。Ｎは、下行に配置されるパート数である。
【請求項４】
前記パートにおける各前記ドットの縦方向の間隔と同一の間隔を隔てて、上行の前記パートと、下行の前記パートとの間に、前記上行の前記パートと、前記下行の前記パートとが連続するように前記ドットが配置される、請求項１〜３のいずれかに記載の表示装置。
【請求項５】
下行の前記左端の前記パートの左端の列の前記ドットが、上行の左端の前記パートの２列目以降のドット列と、縦のドットの配置方向に１直線上に並ぶように配置される、請求項１〜４のいずれかに記載の表示装置。
【発明の詳細な説明】
【技術分野】
【０００１】
本発明は、情報を表示するための表示装置に関する。
【背景技術】
【０００２】
従来より、オーディオ装置等の電子機器において蛍光表示管（以下、ＦＬディスプレイという。）が表示装置として使用されている。オーディオ装置におけるＦＬディスプレイは、一般にはオーディオ装置のフロントパネルに設置され、オーディオ装置内に挿入されるＣＤ、ＤＶＤ、ＭＤ等に記憶されるコンテンツのリストや、コンテンツの再生状態（再生カウンタや、曲名など）を表示する。
【０００３】
図１４及び図１５は、従来のドットマトリクス形式のＦＬディスプレイを示す。ドットマトリクス形式のＦＬディスプレイは、複数のドットをマトリクス状に並べて配置し、１つの文字表示部を形成する。図１４のＦＬディスプレイは２行で構成されており、１行に１４文字表示できる。以下では、各文字を表示する部分をパートという。各パートには通し番号が割り振られ、１行目の左から順に、パート１、パート２・・・が配置される。各パートは、発光する複数のドットで構成され、１つのパートに横５ドット、縦７ドットの計３５ドットが含まれる。図１４においてＦＬディスプレイを正面から見たときの右方向をｘの正方向、上方向をｙの正方向としたとき、各ドットは上、または下のドットに対してｙ軸に対し角度θ傾斜して配置される。ドットがｙ軸に対して傾斜して配置されることにより、文字が斜めに表示される。なお、以下ではｙ方向に対して角度θだけ傾いた方向を、ｙθ方向という。
【０００４】
図１５は図１４のＦＬディスプレイのパートを拡大した図を示す。図１５に示されるように、１行目のパート１の最下段のドットＡと、２段目のパート１５の最上段のドットＢとがｘ方向に距離ａずれて配置される。１行目及び２行目の対応するパート（パート１とパート１５、パート２とパート１６等）の各ドットはｘ方向に距離ａずれて配置される。この結果、１行目のパートと２行目のパートとに文字を表示したとき、１行目と２行目とのドットがｙθ方向において１直線上に並ばないので、１行目と２行目との文字がｘ方向にずれて表示され、視認性が高くなる。
【０００５】
ところで、１行目のパートと、２行目のパートとの２つのパートに渡って１つの文字や記号等を表示するとき、１、２行目のドットがｘ方向に距離ａずれていることによって視認性が悪くなる場合がある。例えば、オーディオ装置のＦＬディスプレイに、フォルダの分岐バー、オーディオレベルメータ、またはスクロールバー等を表示するとき、１行目と２行目とのパートに渡って１つの状態を表示するので、１行目及び２行目のドットがずれている場合、視認性が低下してしまう。
【０００６】
図１６は、ＭＤやＤＶＤ等に記憶されるアルバムリストと、選択されているアルバムの全リストにおける位置とを示すスクロールバーを示す。スクロールバーは、パソコンのエディタ等で表示されるスクロールバーと同様の機能を有する。
【０００７】
図１７は、図１６をＦＬディスプレイに表示した状態を示す。パート１とパート１５とによって分岐バーが構成され、パート２〜６及びパート１６〜２０によって文字列「ＡＬＢＵＭ」が構成される。なお、ＡＬＢＵＭ以降の文字列は省略する。パート１４と２８とによってスクロールバーが構成される。図１７の分岐バー及びスクロールバーを構成するドットは、１直線上に配置されるべきであるが、１行目のドットと、２行目とのドットとがｘ方向に距離ａだけずれて配置されているので、ドットが１直線に並ばず、視認性が悪い。
【０００８】
特開２００７−１６４１０１号公報には、４色の表示ドットを２行にわたって２つずつ配置して１画素を形成し、表示ドットが隣接行間において１／２表示ドットだけ行方向にずらすことで、縦縞が発生することを抑制することが記載されている。
【０００９】
特開平６−２７４１２１号公報には、線の太さが表示する位置に左右されず、文字表示の品質を向上させることが記載されている。
【先行技術文献】
【特許文献】
【００１０】
【特許文献１】特開２００７−１６４１０１号公報
【特許文献２】特開平６−２７４１２１号
【発明の概要】
【発明が解決しようとする課題】
【００１１】
本発明は上記従来の課題を解決するためになされたものであり、その目的は、ドットマトリクス形状のＦＬディスプレイに情報を表示するとき、情報の視認性が高い表示装置を提供することである。
【課題を解決するための手段】
【００１２】
本発明の好ましい実施形態による表示装置は、複数の表示ドットがマトリクス上に配置されて１つのパートが構成され、複数の前記パートが横方向に複数配置されることによって１行の表示ラインが形成され、２行以上の前記表示ラインによって構成される表示装置であって、前記パートにおいて前記ドットが行方向、及び行方向に垂直な方向である縦方向にそれぞれ等間隔に配置され、前記パートにおける同一列の各ドットの左上の頂点を結んだ線分が、前記縦方向に対して一定の角度になるように前記ドットが傾斜して配置され、各前記パートが横方向に等間隔に配置され、上下方向に隣合う行において、上行に位置する前記パートの前記ドットと、下行に位置する同一列の前記パートの前記ドットとが、縦
のドットの配置方向に１直線上に並ぶように配置され、隣合う行において、上行の左端の前記パートの前記ドットと、下行の左端の前記パートの前記ドットとが、縦の前記ドットの配置方向に１直線上に並ぶように配置され、下行の左端の前記パートと、下行の左端の前記パートの右隣の前記パートとの間隔が、前記上行の各前記パートの間隔よりも、前記ドットの横方向の長さより小さい範囲内で広く設定され、下行の左から２番目以降の前記パート毎の間隔が、上行の前記パート毎の間隔と等しい。
【００１３】
複数のドットがマトリクス状に配置されて１つのパートが構成され、複数のパートによって１行の表示ラインが構成され、表示ラインが複数行配置される表示装置において、上行のパートを構成するドットと、下行のパートを構成するドットとが、縦のドットの配置方向に１直線上に並ぶように配置される。この結果、オーディオのレベルメーターや、フォルダの分岐バーや、スクロールバー等が２行以上のパートのドットによって連続的に表示可能となり、視認性が向上する。また、表示装置の左端のパートのドットが縦のドットの配置方向に１直線上に並び、その他のパートのドットが、縦のドットの配置方向に１直線上に並ばないように配置されるので、左端の複数行のパートによって情報を連続的に表示でき、かつ、両端以外のパートにおいて文字を表示したとき、上下行の文字が横方向にずれて表示されるので、視認性がよい。
【００１６】
隣合う行において、前記下行の右端の前記パートの前記ドットと、上行の前記右端の前記パートの前記ドットとが、縦の前記ドットの配置方向に１直線上に並ぶように、上行の右端の前記パートの左下の前記ドットの左下の頂点と、下行の右端の前記パートの左上の前記ドットの左上の頂点との距離が設定される。
【００１７】
右端のパートのドットが縦の前記ドットの配置方向に１直線上に並ぶように配置されるので、両端の複数行のパートによって情報を連続的に表示でき、かつ、両端以外のパートにおいて文字を表示したとき、上下行の文字が横方向にずれて表示されるので、視認性がよい。
【００１８】
本発明の別の好ましい実施形態による表示装置は、複数の表示ドットがマトリクス上に配置されて１つのパートが構成され、複数の前記パートが横方向に複数配置されることによって１行の表示ラインが形成され、２行以上の前記表示ラインによって構成される表示装置であって、前記パートにおいて前記ドットが行方向、及び行方向に垂直な方向である縦方向にそれぞれ等間隔に配置され、前記パートにおける同一列の各ドットの左上の頂点を結んだ線分が、前記縦方向に対して一定の角度になるように前記ドットが傾斜して配置され、各前記パートが横方向に等間隔に配置され、上下方向に隣合う行において、上行に位置する前記パートの前記ドットと、下行に位置する同一列の前記パートの前記ドットとが、縦のドットの配置方向に１直線上に並ぶように配置され、隣合う行において、上行の左端の前記パートの前記ドットと、下行の左端の前記パートの前記ドットとが、縦の前記ドットの配置方向に１直線上に並ぶように配置され、上行の右端の前記パートの前記ドットと、下行の右端の前記パートの前記ドットとが、縦の前記ドットの配置方向に１直線上に並ぶように配置され、下行の各前記パートの間隔が、（ｓ’−ｓ）／（Ｎ−１）だけ、前記上行の前記パート毎の間隔よりも広く設定される、請求項１に記載の表示装置。ただし、ｓ’は、前記上行の右端の前記パートの左下の前記ドットの左下の頂点と前記下行の右端の前記パートの左上の前記ドットの左上の頂点との横方向の距離である。ｓは、前記上行の左端の前記パートの左下の前記ドットの左下の頂点と前記下行の左端の前記パートの左上の前記ドットの左上の頂点との横方向の距離である。Ｎは、下行に配置されるパート数である。
【００１９】
複数のドットがマトリクス状に配置されて１つのパートが構成され、複数のパートによって１行の表示ラインが構成され、表示ラインが複数行配置される表示装置において、上行のパートを構成するドットと、下行のパートを構成するドットとが、縦のドットの配置方向に１直線上に並ぶように配置される。この結果、オーディオのレベルメーターや、フォルダの分岐バーや、スクロールバー等が２行以上のパートのドットによって連続的に表示可能となり、視認性が向上する。また、下行のパート毎の間隔が等間隔に設定されるので、パートの配置のバランスが向上し、文字列を等間隔に表示できる。
【００２０】
本発明の別の好ましい実施形態による表示装置は、前記パートにおける各前記ドットの縦方向の間隔と同一の間隔を隔てて、上行の前記パートと、下行の前記パートとの間に、前記上行の前記パートと、前記下行の前記パートとが連続するように前記ドットが配置される。
【００２１】
上行のパートと、下行のパートの間に、ドットが各パートの縦方向のドット間隔と同一の間隔を空けて補完的に配置されるので、複数行に渡って連続的に情報を表示できる。
【００２２】
本発明の別の好ましい実施形態による表示装置は、下行の前記左端の前記パートの左端の列の前記ドットが、上行の左端の前記パートの２列目以降のドット列と、縦のドットの配置方向に１直線上に並ぶように配置される。
【００２３】
上行の文字の表示開始位置と、下行の文字の表示開始位置とが１ドット以上、横方向にずれるので、上行に表示される文字と下行に表示される文字とが分離して認識されやすい。
【発明の効果】
【００２４】
ドットマトリクス形状のＦＬディスプレイに情報を表示するとき、情報の視認性が高い表示装置を提供できる。
【図面の簡単な説明】
【００２５】
【図１】本発明の好ましい実施形態による機器のブロック図である。
【図２】本発明の好ましい実施形態によるパートの拡大図である。
【図３】ＦＬディスプレイのパートの配置図である。
【図４】ＦＬディスプレイのパートの配置図である。
【図５】ＦＬディスプレイの表示例である。
【図６】ＦＬディスプレイの表示例である。
【図７】ＦＬディスプレイのパートの配置図である。
【図８】ＦＬディスプレイの表示例である。
【図９】ＦＬディスプレイの表示例である。
【図１０】ＦＬディスプレイのパートの配置図である。
【図１１】ＦＬディスプレイの表示例である。
【図１２】ＦＬディスプレイのパートの配置図である。
【図１３】ＦＬディスプレイの表示例である。
【図１４】従来のＦＬディスプレイである。
【図１５】従来のＦＬディスプレイである。
【図１６】アルバムリストの模式図である。
【図１７】従来のＦＬディスプレイである。
【発明を実施するための形態】
【００２６】
以下、本発明の好ましい実施形態による表示装置について、図面を参照して具体的に説明するが、本発明はこれらの実施形態には限定されない。
【００２７】
図１は、本発明の好ましい実施形態によるオーディオ装置のブロック図である。オーディオ装置は、例えば、ＣＤプレーヤ、ＭＤプレーヤ、ＤＶＤプレーヤ、ＨＤＤプレーヤ、ＡＶアンプ、ＡＶレシーバ等である。
【００２８】
オーディオ装置１００は、制御部１１、メモリ１２、再生部１３、ＤＳＰ１４、ＤＡＣ１５、増幅部１６、及び表示部１７を備える。制御部１１はメモリ１２に格納されたプログラムを実行することによりオーディオ装置１００全体を制御するものであり、例えばマイコンやＣＰＵである。メモリ１２は、オーディオ装置１００の設定内容などを保持するものであり、例えばＲＯＭやＲＡＭである。再生部１３は、オーディオ装置１００に挿入されるディスクなどを再生するものであり、例えばＣＤ・ＤＶＤ、ＭＤ再生部である。
【００２９】
ＤＳＰ１４は、デジタル信号処理部であり、再生部１３がＣＤ・ＤＶＤ等から取得するデジタル音声信号に音場処理等を実行する。ＤＡＣ１５はデジタルーアナログ変換部であり、ＤＳＰ１４によって処理されたデジタル信号をアナログ信号に変換する。増幅部１６は、ＤＡＣ１５によって出力されるアナログ信号を増幅し、オーディオ装置１００に接続されるスピーカー１８に出力する。
【００３０】
表示部１７はＦＬディスプレイであり、オーディオ装置１００の再生情報や、ＣＤ等の楽曲リスト等を表示する。
【００３１】
以上の構成を備えるオーディオ装置１００の表示部１７は、ＦＬディスプレイのパートのドットがｙθ方向に１直線上に並ぶように配置されるので、両端のパートに分岐バーやスクロールバーやレベルメータを表示したとき、視認性が向上する。
【００３２】
［実施形態１］
以下、本発明の第１の実施形態におけるＦＬディスプレイについて説明する。本実施形態によると、１行目と２行目の各ドットがｙθ方向に１直線上に並ぶように配置される。
【００３３】
図２は、ＦＬディスプレイのパートの拡大図を示し、図３は、パート１、１４、１５、及び２８の拡大図を示す。図２に示されるように、パートは、横５ドット、縦７ドットで構成され、ドットの横の長さはｄであり、各ドットについて同一である。また、ｘ方向の隣り合うドットのｘ方向の間隔はｒであり、パート内において各ドット間の間隔はすべて同一である。なお、パートを構成するドットの数は、これに限られず、例えば、横と縦のドット数が同じであってもよいし、横のドット数が縦のドット数よりも多くてもよい。また、図２のドットの形状は平行四辺形としたが、これに限られるものではなく、正方形等であってもよい。１つのパートのｘ方向の長さＤは、以下の式で表される。
【００３４】
Ｄ＝ｄ×ｎ＋（ｎ−１）×ｒ  （ｎは１つのパートを構成する横ドット数）  −（１）  
【００３５】
なお、図２の場合、ｎは５である。図３において、パート１の最下段の左端のドットＡの左下の頂点と、パート１５の最上段の左端のドットＢの左上の頂点との間のｘ方向の距離をｓとすると、ｓは以下の式で示される。
【００３６】
ｓ＝ｋ×（ｄ＋ｒ）  （ｋは０以上、（１パート内の横ドット数−１）以下の自然数）  −（２）  
【００３７】
２行目のパートの各ドットを１行目のパートの各ドットに対して（２）式で示される距離だけｘ方向にずらして配置することにより、上行のパート１のドットＣの列と下行のパート１５のドットＢの列とがｙθ方向に１直線上に並ぶ。なお、図３はｋが１の場合を示す。例えば、ｋが０の場合、ドットＡの列とドットＢの列とがｙθ方向に１直線上に並び、ｋが１の場合、ドットＣの列とドットＢの列とが１直線上に並び、ｋが２の場合、ドットＦの列とドットＢの列とが１直線上に並ぶ。
【００３８】
図４は、本実施形態におけるＦＬディスプレイの各パートの配置関係を示す。図４のＦＬディスプレイは、１行がＮ個のパートで構成される。
【００３９】
本実施形態では、１行目及び２行目の各パート間の距離はすべてＲであるので、１行目と２行目とのパートのドットのずれはすべてｓである。従って、１行目と２行目の各パートのドットはｙθ方向に１直線上に並ぶ。図５は、本実施形態の具体的な表示例を示す。１行目と２行目のドットがｙθ方向に１直線上に並ぶので、分岐バー及びカーソルバーの視認性が高い。
【００４０】
ところで、分岐バーやカーソルバーを表示する場合、２行にわたってドットをｙθ方向に１直線上に配置することで視認性が向上するが、一般的な文字を複数の行に表示するとき、１行目の文字を構成するドットと、２行目の文字を構成するドットとがｙθ方向に１直線上に並ぶと、視認性が悪くなる。
【００４１】
図６は、実施形態１のＦＬディスプレイにダイアクリティカルマークを含む文字を表示する例を示す。ダイアクリティカルマークは、ウムラウト、ダブルアキュート、トレマ、アクセント等である。図６の１行目は左から、eのサーカムフレックス付文字、大文字のファイ、小文字のファイを表示し、２行目は左から、eのウムラウト付文字、Ｕのハーチェク付文字、uのグレイヴアクセント付文字を表示する。実施形態１のＦＬディスプレイにおいてダイアクリティカルマークを含む文字が上下の行に並ぶことによって、１行目の文字の下部のドットと２行目の文字のダイアクリティカルマークを構成するドットとが結合して見えてしまい、視認性が悪い。
【００４２】
［実施形態２］
図７は、実施形態２によるＦＬディスプレイのパートごとの配置関係を示す。本実施形態によると、１行目及び２行目の両端パート以外のパートのドットがｘ方向に一定量、ずれて配置される。
【００４３】
図７の１行目のパート１と２行目のパートＮ＋１とのｘ方向のドットのずれ量は、実施形態１と同様にｓ（＝ｋ×（ｄ＋ｒ））であるので、パート１とパートＮ＋１との各ドットはｙθ方向に１直線上に並ぶ。また、１行目の右端のパートＮと２行目の右端のパート２Ｎとのｘ方向のずれ量ｓ’は、ｋ’×（ｄ＋ｒ）であるので、パートＮとパート２Ｎとの各ドットがｙθ方向に１直線上に並ぶ。ｓ’は、２行目のパート２Ｎ−１の右上のドットＥの右上の頂点と、パート２Ｎの左上のドットＤの左上の頂点とのｘ方向の距離である。ｋ’は１以上の正数である。図７はｋが１であり、ｋ’が２の場合を示す。なお、ｋ’はｋよりも１以上大きい値である。
【００４４】
２行目の左端のパートＮ＋１の右下の頂点と、パートＮ＋１の右隣のパートＮ＋２の左下の頂点とのｘ方向の距離Ｒ’は、Ｒ＋αである。なお、αは、０＜α＜ｄを満たす整数値または少数値である。パートＮ＋１とパートＮ＋２との距離が１行目のパート間の距離Ｒよりもαだけ大きいので、パート２のドットＦの列とパートＮ＋２のドットＧの列とがｘ方向にαだけずれる。すなわち、１行目と２行目との両端以外の対応するパートのドットが距離αだけｘ方向にずれて配置される。
【００４５】
図８は、実施形態２における具体的な文字表示を示す。パート１とパート１５、及び、パート１４とパート２８はドットがｙθ方向に１直線上に並ぶので、分岐バーやカーソルバーを構成するドットがｙθ方向にそろって表示され、両端以外の各パートのドットはｘ方向に距離αずれるので、１行目の「ＡＬＢＵＭ」と２行目の「ＡＬＢＵＭ」の文字がずれて表示され、視認性が高い。
【００４６】
図９は、実施形態２におけるダイアクリティカルマークを含む文字表示を示す。図９では、２行目の文字のダイアクリティカルマークを構成するドットと、１行目の文字を構成するドットとが距離αずれて表示されるので、１行目の文字と２行目の文字とを分離して認識可能となる。なお、左端のパートや右端のパートのドットのみがｙθ方向に１直線に並ぶように配置してもよい。
【００４７】
以上の実施形態２によると、１行目及び２行目の両端のパート、または片方の端の各ドットがｙθ方向に１直線上に並び、その他のパートのドットは一定距離だけｘ方向にずれて配置されるので、表示文字が認識しやすい。
【００４８】
［実施形態３］
図１０は、実施形態３におけるＦＬディスプレイにおけるパートの配置関係を示す。本実施形態では、１行目と２行目との両端のパートのドット（ドットＡとドットＢ、ドットＨとドットＩ等）の列はｙθ方向に１直線上に並ぶ。２行目における各パート間の距離はすべて一定であり、各パート間の距離Ｒ’は、以下の式で表される。なお、ｓ’は、１行目のパートＮの左下のドットＧの左下の頂点と、２行目のパート２Ｎの左上のドットＩの左上の頂点とのｘ方向の距離である。
【００４９】
Ｒ’＝  Ｒ＋（ｓ’−ｓ）／（Ｎ−１）  −（３）
ただし、ｓ’＝  （ｋ＋１）×（ｄ＋ｒ）  （ｋ＞＝０）
【００５０】
１行目の各パートの間隔Ｒに比べ、２行目の各パートの間隔Ｒ’は、（ｓ’−ｓ）／（Ｎ−１）だけ広いので、両端以外の１行目と２行目のパートのドットがｙθ方向において１直線上に並ばない。なお、２行目の各パートの間隔は、すべてＲ’で同一である。例えば、ドットＣとドットＤとはｘ方向に（ｓ’
−ｓ）／（Ｎ−１）だけずれ、ドットＥとドットＦとは、ｘ方向に２×（ｓ’−ｓ）／（Ｎ−１）だけずれる。すなわち、右のパートほど１行目のパートのドットと２行目のパートのドットとのずれ幅が大きくなる。
【００５１】
図１１は、実施形態３における表示の具体例を示す。両端のパートによって表示される分岐バー及びスクロールバーがｙθ方向に１直線に並び、その内側のパートの文字は、ｘ方向にずれて表示されるので、視認性がよい。また、ダイアクリティカルマークが表示されるときも、実施形態２で説明した通り、１行目と２行目との文字がずれて表示されるので、視認性がよい。
【００５２】
以上の実施形態３によると、１行目及び２行目の両端のパートの各ドットがｙθ方向に１直線上に並び、その他のパートのドットはｘ方向にずれて配置されるので、表示文字が認識しやすい。また、２行目の各パート間の距離が一定であるので、２行目のパートの配置のバランスがよい。
【００５３】
［実施形態４］
図１２は、実施形態４のＦＬディスプレイにおける１行目のパート及び２行目のパートの配置関係を示す。本実施形態によると、１行目と２行目のパートとの間にドットが補完されるので、１行目と２行目とのパートによって連続的に情報を表示することができる。
【００５４】
図１２の１行目のパートの左下のドットＡの底辺と、２行目のパートのドットＢの上辺とのｙ方向の距離Ｈは、以下の式で表される。
【００５５】
Ｈ  ＝  ｎ×ｈ  ＋（ｎ＋１）×ｒ２    −（４）
ここで、ｈはドットのｙ方向の高さを示し、ｒ２は、各ドットのｙ方向の間隔を示す。
ｎは、１行目のパートと２行目のパートとの間に挿入するドットのｙ方向の行数である。
【００５６】
図１２の例では、ｎは２であり、１行目のパートと２行目のパートとの間に２行のドットが挿入されている。ＡＤＤ１〜ＡＤＤ８の８つのドットによって、１行目のパートと２行目のパートとによって１つの文字や記号等を連続的に表示できる。なお、１行目と２行目との間に挿入するドットの行数は２行以下であってもよいし、２行よりも多くてもよい。また、ドットは、両端のパートの間に挿入されてもよいし、片方の端のパートの間にのみ挿入されてもよいし、それら以外のパートの間に挿入されてもよい。
【００５７】
図１３は、パート１とパート１５との間にドットを挿入したときの表示例を示す。図１３の左端のパート１とパート１５によって、オーディオレベルバーが表示されている。ドットが追加されることによって、レベルバーが連続的に表示可能となり、視認性が向上する。
【００５８】
以上、本発明の好ましい実施形態について説明したが、本発明はこれらの実施形態には限定されない。ＦＬディスプレイの各ドットは、ｙθ方向ではなく、ｙ方向に配置されてもよい。ＦＬディスプレイの行数は２行よりも多くてもよい。各ドットは任意の四角形でもよいし、四角形以外の形状でもよい。
【産業上の利用可能性】
【００５９】
本発明は、ＡＶアンプ、ＴＶ等の機器に好適に採用され得る。
【符号の説明】
【００６０】
１００          オーディオ装置
１１            制御部
１２            メモリ
１３            再生部
１４            ＤＳＰ
１５            ＤＡＣ
１６            増幅部
１７            表示部
１８            スピーカー
【図１】
0005811862.tif 000002
【図２】
0005811862.tif 000003
【図３】
0005811862.tif 000004
【図４】
0005811862.tif 000005
【図５】
0005811862.tif 000006
【図６】
0005811862.tif 000007
【図７】
0005811862.tif 000008
【図８】
0005811862.tif 000009
【図９】
0005811862.tif 000010
【図１０】
0005811862.tif 000011
【図１１】
0005811862.tif 000012
【図１２】
0005811862.tif 000013
【図１３】
0005811862.tif 000014
【図１４】
0005811862.tif 000015
【図１５】
0005811862.tif 000016
【図１６】
0005811862.tif 000017
【図１７】
0005811862.tif 000018